(57)【要約】【課題】偏波多重光送信回路において、送信パワーの減少を軽減した送信側ＰＤＬの保証を可能とする。【解決手段】光源（１５２）から出力される光を分岐する光分岐回路（１５４）と、光分岐回路の出力に接続された２本の導波路の少なくとも一方に配置された光位相シフタ（２０２，２０４）と、２本の導波路に接続された光波合成回路（２０６）と、光波合成回路の２つ出力にそれぞれ接続された第１および第２の光送信器（１５６，１５８）と、第１および第２の光送信器の２つの光送信器出力を偏波合成する偏波合波器（１６０）と、第１および第２の光送信器と偏波合波器との間に配置され、第１および第２の光送信器の少なくとも一方に接続された偏波回転器（１６４）と、を備えた。【選択図】図２
2020108062.tif 000002
【特許請求の範囲】
【請求項１】
光源から出力される光を分岐する光分岐回路と、
前記光分岐回路の出力に接続された２本の導波路の少なくとも一方に配置された可変光位相シフタと、
前記２本の導波路に接続された光波合成回路と、
前記光波合成回路の２つ出力にそれぞれ接続された第１および第２の光送信器と、
前記第１および第２の光送信器の２つの光送信器出力を偏波合成する偏波合波器と、
前記第１および第２の光送信器と偏波合波器との間に配置され、前記第１および第２の光送信器の少なくとも一方に接続された偏波回転器と、
を備えた、偏波多重光送信回路。
【請求項２】
前記光分岐回路は、
光源に接続された第１のスプリッタであり、２つの出力の一方に前記光波合成回路が接続された、第１のスプリッタと、
前記第１のスプリッタの２つの出力の他方に接続された第２のスプリッタであり、２つの出力の一方に前記光波合成回路が接続された、第２のスプリッタと、
前記第２のスプリッタの２つの出力の一方に接続された第３のスプリッタであり、２つの出力にそれぞれ第１および第２の受信器が接続された、第３のスプリッタと、
を備え、前記光源から前記光波合成回路までの前記第２のスプリッタを経由する光路長と、前記光源から前記光波合成回路までの前記第２のスプリッタを経由しない光路長とが、等しい、請求項１記載の偏波多重光送信回路。
【請求項３】
前記光分岐回路は、
光源に接続された第１のスプリッタと、
前記第１のスプリッタの２つの出力の一方に接続された第２のスプリッタであり、２つの出力が前記光波合成回路に接続された、第２のスプリッタと、
前記第１のスプリッタの２つの出力の他方に接続された第３のスプリッタであり、２つの出力にそれぞれ第１および第２の受信器が接続された、第３のスプリッタと、
を備え、前記光源から前記光波合成回路までの２つの経路の光路長が等しい、請求項１に記載の偏波多重光送信回路。
【請求項４】
前記偏波合波器により偏波合成され偏波多重された各偏波の光の強度が等しくなる前記第１および第２の光送信器への入力する光の強度の比をａ：ｂとすると、
以下の式（１）により決定される位相φを固定的に付与する固定位相シフタが前記光波合成回路の２つの入力の一方に配置され、
前記可変光位相シフタに与える位相量が０の場合にも、前記第１および第２の光送信器に入力される光の強度の比がａ：ｂとなるように調整された、請求項２または３に記載の偏波多重光送信回路。
【数１】
2020108062.tif 000004
【請求項５】
請求項１から４のいずれか一項に記載の偏波多重光送信回路と、
前記光分岐回路に接続された第１および第２の光コヒーレントミキサを有する偏波多重光受信回路と
を備えた、偏波多重光送受信回路。
【請求項６】
少なくとも前記偏波多重光送信回路が、１チップ上に集積された、請求項５に記載の偏波多重光送受信回路。
【発明の詳細な説明】
【技術分野】
【０００１】
本発明は、偏波多重光送信回路および偏波多重光送受信回路に関し、より詳細には、集積化されたコヒーレント偏波多重方式向けの偏波多重光送信回路および偏波多重光送受信回路に関する。
【背景技術】
【０００２】
近年、特に長距離の光通信において、１チャネルあたりの通信容量を飛躍的に増大できる、デジタルコヒーレント方式の光伝送システムが開発され、商用導入も進みつつある。デジタルコヒーレント方式の光通信では、直交する2つの偏波（偏光）に別の信号を与えて伝送量を倍増する、偏波多重方式が一般に適用されている。
【０００３】
各偏波に信号を付与する際の信号フォーマットには様々なものがあるが、現在最も盛んに商用導入が進められているチャネルあたり１００Ｇｂｉｔ／ｓの通信容量を有するシステムは、ＱＰＳＫ（Quadrature Phase Shift Keying）を採用したものがほとんどである。 今後、１００Ｇｂｉｔ／ｓ以上の通信容量を有するシステムは、デジタルコヒーレント方式を用いた大容量化が主流となっていくと考えられる。
【０００４】
図１は、デジタルコヒーレント偏波多重方式のトランシーバ内に構成されている、光送信回路および受信回路を含むトランシーバの全体構成を示すものである。図１の詳細を以下に説明する。
【０００５】
受信回路は、偏波分離器１０２と、偏波分離器の出力の一方に接続されたＸ偏波用受信器１０６と、偏波分離器の出力の他方に接続された偏波回転器１０４と、偏波回転器に接続されたＹ偏波用受信器１０８とを含んで構成される。
【０００６】
送信回路は、光源１５２と、光源に接続された光分岐回路１５４と、光分岐回路の出力の一方に接続されたＸ偏波用送信器１５６と、光分岐回路の出力の他方に接続されたＹ偏波用送信器１５８と、Ｘ偏波用送信器の出力に接続された光減衰器１６０と、Ｙ偏波用送信器の出力に接続された光減衰器１６２と、光減衰器１６２の出力に接続された偏波回転器１６４と、光減衰器１６０および偏波回転器１６４の出力に接続された偏波合波器１６６とを含んで構成される。
【０００７】
受信回路の構成において、偏波分離器１０２は、受信光信号をＸ偏波とＹ偏波に分離する。偏波分離された偏波光は夫々、Ｘ偏波用受信器１０６およびＹ偏波用受信器１０８に入力される。
【０００８】
Ｘ偏波用受信器１０６およびＹ偏波用受信器１０８は、ミキサやフォトディテクタ等で構成された光コヒーレントミキサであり、光信号を電気信号に変換する。受信光の位相情報を抽出するために、Ｘ偏波用受信器１０６およびＹ偏波用受信器１０８には、受信光信号と共に、トランシーバ内に実装されている光源１５２からの光が光分岐回路１５４により分岐されて入力され、これらを干渉させることで信号光から情報を抽出する。
【０００９】
一方で、送信回路の構成においては、トランシーバ内の光源１５２が送信光信号の生成にも使用される。光分岐回路１５４により分岐された光源１５２からの光の一部は、Ｘ偏波用送信器１５６とＹ偏波用送信器１５８に入力される。
【００１０】
Ｘ偏波用送信器１５６およびＹ偏波用送信器１５８はそれぞれ、送信する電気信号を光信号に変換する。Ｙ偏波用送信器１５８から出力される送信光信号は、後段の偏波回転器１６４にてＸ側偏波送信器の偏波と直交する偏波に変換される。
【００１１】
偏波合波器１６６は、Ｘ偏波用送信器１５６およびＹ偏波用送信器１５８からそれぞれ出力される互いに直交する２つの送信光信号を合波する。これにより、直交する偏波に夫々別の情報が、送信光信号に重畳される。
【００１２】
このようなデジタルコヒーレント偏波多重方式の光送信回路および光受信回路は小型化が求められ、ＩｎＰ（インジウム燐）光導波路やシリコン光導波路による光集積回路（ＰＩＣ：Photonic Integrated Circuit）を使用して、１チップに集積することが検討されている。但し、光源１５２に関しては材料や製造方法の違いにより、チップ外に設けられることもある。
【００１３】
トランシーバ内の光源１５２は、送信器用と受信器用に、夫々別に設けられる場合もあるが、近年のトランシーバの小型化や低消費電力化のために、図１のように１つの光源を送信用および受信用に兼用する構成が増えている。図１に示す光分岐回路１５４は、光源１５２を兼用するために設けられており、限られた光源パワーを効率よく使用し、トランシーバ性能を最大化するように設定する必要がある。
【００１４】
例えば、光源１５２からの連続光が、光分岐回路１５４により送信回路側および受信回路側に分配されるときの分岐の比率は、光源１５２のパワーの制約がある場合や伝送する伝送路内に増幅器が無い場合には、等分岐よりも送信側により多くパワーを分配する方が、より優れた送受信特性を得られる場合が多い。この分岐比率の最適化については非特許文献１に詳述されており、条件により送信側：受信側＝７０：３０程度までの非対称性が適している（光信号の伝送距離を最大化できる）ことが示されている。一方、光源１５２のパワーの制限や伝送路の制限がない場合は、送信側：受信側＝５０：５０程度が適している。
【００１５】
更に、送信回路側のＸ偏波用送信器１５６とＹ偏波用送信器１５８に分岐される光強度についても、非対称な分岐比が求められる。Ｘ偏波用送信器１５６およびＹ偏波用送信器１５８から出力される信号光が偏波多重されて出力されるまでには、各偏波が受ける損失が異なっている。例えば、偏波回転器１６４は、Ｘ偏波用送信器１５６またはＹ偏波用送信器１５８の一方の送信経路の側のみ（図１の例では、Ｙ偏波用送信器１５８側の送信経路のみ）に存在し、１ないし２ｄＢ程度の回路過剰損失が発生する。それ以外にも、様々な損失により、送信信号のＸ偏波とＹ偏波との間で損失差が生じる。従って、あらかじめ光分岐回路１５４において光源１５２からの光を非対称な分岐比でＸ偏波側とＹ偏波側で分岐することで、Ｘ偏波とＹ偏波との間の損失差を補償することが必要となる。今後、このような送信回路のＸ偏波用の回路側の経路とＹ偏波用の回路側の経路と間で発生する損失差のことを送信側偏波依存損失（送信側ＰＤＬ）と呼ぶ。
【００１６】
トランシーバの消費電力低減や小型化のため、光源１５２の光を効率よく使用するために、光分岐回路１５４の設計は重要であり、効率的な分岐比回路実現方法として、特許文献１等の方法が提案されている。光分岐回路１５４における、送信回路側：受信回路側の分岐比を非対称に分岐し、且つ、Ｘ偏波用送信器１５６：Ｙ偏波用送信器１５８の分岐比を送信光の偏波間パワー差が少ないように非対称に分岐する手段として、過剰損失を最小限に抑えつつ、必要な非対称分岐を実現する方法である。
【００１７】
しかしながら実際の光回路においては、送信側ＰＤＬが製造バラつきにより変動する。その為、非対称にＸ偏波間とＹ偏波間で光を非対称に分岐したにもかかわらず、送信光の偏波間パワー差が残留してしまう。例えば、偏波回転器１６４の損失を１ｄＢと想定した場合に、実際の回路が２ｄＢで製造されたとすると、送信側ＰＤＬが１ｄＢ変化する。その為、送信光のＸ偏波とＹ偏波との間で１ｄＢのパワー差が生まれてしまう。送信光の偏波間パワー差がある場合、伝送品質に影響を与えるため、等しく調整する必要がある。従来は、Ｘ偏波用送信器１５６およびＹ偏波用送信器１５８の後段に設けられた光減衰器１６０または光減衰器１６２にて、高いパワーを持つ偏波側の光に損失を１ｄＢ与え、出力送信光の偏波間のパワー差を０ｄＢにする必要があった。光減衰器１６０または光減衰器１６２で損失を与えるため、Ｘ偏波用送信器１５６またはＹ偏波用送信器１５８の光出力パワーは減少することとなる。光出力パワーの減少を保証するために、光源１５２からの光のパワーを増加する必要が生じる他、トランシーバの消費電力増加や、送信パワー不足に繋がっていた。
【先行技術文献】
【特許文献】
【００１８】
【特許文献１】特許第６２６３３１２号
【非特許文献】
【００１９】
【非特許文献１】Bo Zhang et al., "Practical Limits of Coherent Receivers for Unamplified 100Gb/s Applications", Proceeding of OFC2013, OW1E.3, (2013)
【発明の概要】
【発明が解決しようとする課題】
【００２０】
従来のトランシーバの構成では、送信光の偏波間パワー差の原因である送信側ＰＤＬを保証するために、光減衰器１６０，１６２等で片側偏波に損失を与えてパワー差を解消する必要があり、送信パワーの減少に繋がる課題があった。
【００２１】
本発明は、このような問題に鑑みてなされたもので、その目的とするところは、送信パワーの減少を軽減した送信側ＰＤＬの保証を可能とすることにある。
【課題を解決するための手段】
【００２２】
このような目的を達成するために、本発明の第１の態様は、偏波多重光送信回路である。一実施形態に係る偏波多重光送信回路は、光源から出力される光を分岐する光分岐回路と、光分岐回路の出力に接続された２本の導波路の少なくとも一方に配置された可変光位相シフタと、２本の導波路に接続された光波合成回路と、光波合成回路の２つ出力にそれぞれ接続された第１および第２の光送信器と、第１および第２の光送信器の２つの光送信器出力を偏波合成する偏波合波器と、第１および第２の光送信器と偏波合波器との間に配置され、第１および第２の光送信器の少なくとも一方に接続された偏波回転器と、を備える。
【００２３】
本発明の第２の態様は、偏波多重光送受信回路である。一実施形態に係る偏波多重光送受信回路は、上記の偏波多重光送信回路の光分岐回路に接続された第１および第２の光コヒーレントミキサを有する偏波多重光受信回路をさらに備える。
【発明の効果】
【００２４】
以上説明したように、本発明によれば、送信パワーの減少を軽減した送信側ＰＤＬの保証が可能な、偏波多重光送信回路および偏波多重光送受信回路を提供することができる。
【図面の簡単な説明】
【００２５】
【図１】デジタルコヒーレント偏波多重方式のトランシーバ内の光送信回路および受信回路の構成を説明するための図である。
【図２】本発明の第１の実施形態に係る偏波多重光送受信回路の構成を説明するための図である。
【図３】可変光位相シフタで与える位相量と入力される光強度の関係を説明するための図である。
【図４】Ｘ偏波用送信器とＹ偏波用送信器に入力される光強度の比を説明する図である。
【図５】送信側偏波依存損失（ＰＤＬ）のバラつきを示す図である。
【図６】各偏波毎の光出力パワーを示す図である。
【図７】調整後の各偏波毎の光出力パワーを示す図でる。
【図８】本発明の第２の実施形態に係る偏波多重光送受信回路の構成を説明するための図である。
【図９】本発明の第３の実施形態に係る偏波多重光送受信回路の構成を説明するための図である。
【発明を実施するための形態】
【００２６】
以下、図面を参照しながら本発明の実施形態について詳細に説明する。同一または類似の参照符号は、同一または類似の要素を示し、繰り返しの説明を省略する。
【００２７】
[第１の実施形態]
本発明の第１の実施形態に係る偏波多重光送受信回路について説明する。図２は、本発明の第１の実施形態における、偏波多重光送受信回路の構成を示す回路図である。
【００２８】
光源１５２からの光を受信回路のＸ偏波用受信器１０６およびＹ偏波用受信器１０８には一定の分岐比にて分岐し、送信回路側のＸ偏波用送信器１５６およびＹ偏波用送信器１５８に夫々分岐するような光分岐回路１５４を配置する。
【００２９】
Ｘ偏波用送信器１５６やＹ偏波用送信器１５８は、マッハツェンダ干渉計等で構成されるＩＱ変調器等で構成され、送信光の位相および強度を変調することで情報を伝送する部分である。Ｘ偏波用送信器１５６やＹ偏波用送信器１５８で変調された信号は、互いに直交するＸ偏波とＹ偏波に変換されて合成され、偏波多重多値位相変調信号として送信される。
【００３０】
光分岐回路１５４からＸ偏波用受信器１０６およびＹ偏波用受信器１０８に分岐された光は、受信部分（受信回路側）の局発光としてＸ偏波用受信器１０６およびＹ偏波用受信器１０８に入力される。Ｘ偏波用受信器１０６およびＹ偏波用受信器１０８は、９０度ハイブリッド回路及び受光素子で構成されている。受信信号光と局発光を干渉させ、干渉光を複数の受光素子に入力することで、受信した光信号に重畳された位相及び強度情報から伝送情報として電気信号に変換する。
【００３１】
光分岐回路１５４から、Ｘ偏波用送信器１５６およびＹ偏波用送信器１５８に分岐した光の一方の側に可変光位相シフタ２０２を設け、他方の側に固定光位相シフタ２０４を設け、再度、分岐した光を合波する光波合成回路２０６に接続する。本実施形態では、可変光位相シフタ２０２をＸ偏波用送信器１５６の側に配置し、固定位相シフタ２０４をＹ偏波用送信器１５８の側に配置する。更に、光波合成回路２０６の出力を夫々、Ｘ偏波用送信器１５６およびＹ偏波用送信器１５８に接続する。
【００３２】
ここで、光波合成回路２０６とは、例えば方向性結合器や多モード干渉計のような２つの入力および２つの出力を有する２入力２出力合成回路である。
【００３３】
光波合成回路２０６は２つの光を干渉させる回路であり、入力する２つの光強度と位相関係により出力光の強度および位相が決定される。その為、入力する２つの位相を制御する必要があり、位相シフタ（可変光位相シフタ２０２または固定光位相シフタ２０４）を前段（２つの入力の側）に配置する。
【００３４】
位相シフタ（可変光位相シフタ２０２または固定光位相シフタ２０４）は、光導波路の屈折率を変更し、伝搬する光の位相を変化させるものである。一般的には、導波路付近に設けたヒータの熱やＰＮジャンクションにおけるキャリア密度変化を用い、導波路の屈折率を変化させて光位相を変化させるものでる。可変光位相シフタ２０２および固定光位相シフタ２０４は、光波合成回路２０６に入力される光位相差を調整するためのものであり、図２のように光波合成回路２０６に入力する２つの光の内の一方の位相をシフトするように、２つの入力の内の一方に一箇所配置する方法が単純であるが、その他の方法でも問題ない。例えば、可変光位相シフタ２０２を光波合成回路２０６の２つの入力の両方の配置し、それらの差分によって入力光に位相差を与える方法でも問題ない。更に、光分岐回路１５４内で位相差を調整できる機構を設けても構わない。説明のため、最も単純な図２の構成で今後説明する。
【００３５】
光波合成回路２０６の２つの入力の経路は、光源１５２から光波合成回路１５４まで、互いに等しい光路長となることが望ましい。この場合、固定位相シフタ２０４に関しては、一定の位相差を与える必要がある。例えば、図２のようにＸ偏波用送信器１５６の側に可変光位相シフタ２０２を配置し、Ｙ偏波用送信器１５８の側に固定光位相シフタ２０４を配置する。更に、送信側ＰＤＬを補償するように光可変分岐回路（光分岐回路１５４）のＸ偏波用送信器１５６の側とＹ偏波用送信器１５８の側の分岐比をａ：ｂに設定したとする。この場合、固定光位相シフタ２０４に与える位相量は、Ｘ偏波用送信器１５６とＹ偏波用送信器１５８に入力される光の強度の比をａ’：ｂ’とすると、ａ’：ｂ’＝ａ：ｂとなるように設定する。具体的には、固定位相シフタ２０４における位相シフト量φ、
【００３６】
【数１】
2020108062.tif 000003
【００３７】
を設定する。実際の回路では、この固定位相シフタ２０４として可変光位相シフタ２０２にて一定の位相を与える他、光波合成回路２０６に入力される２つの光の経路にわずかに光路差を設け、必要な位相差を付加する方法でも構わない。
【００３８】
このような構成により、可変光位相シフタ２０２において位相差をわずかに与えると、Ｘ偏波用送信器１５６とＹ偏波用送信器１５８に入力される光強度をａ：ｂから微調整することができる。更に、分岐比調整時にも過剰損失は発生しない。図３の破線および一点鎖線に夫々示すように、可変光位相シフタで与える位相量により、Ｘ偏波用送信器とＹ偏波用送信器へ入力される光強度が変化する。但し、この場合にもこれらの光強度の合計は変化せず、過剰損失が発生しない。図４に示すように、可変位相シフタ２０２で与える位相が０（位相差が０）のときは光強度比ａ’／ｂ’はａ／ｂのままであり、可変位相シフタ２０２で与える位相を大きく（小さく）する（位相差を大きく（小さく）する）とａ’／ｂ’はａ／ｂよりも小さく（大きく）なり、結果、図４に示すように、ａ’：ｂ’の比が変更できる。
【００３９】
実際の調整時には光出力強度をモニタする必要がある場合がある。予め可変光位相シフタ２０２において与える位相差が明確な場合は不要であるが、光強度をモニタしながら、位相シフタを調整する必要がある。一般的に送信器の構成内にはモニタ受光素子（不図示）が集積されており、変調器（不図示）の駆動状態をモニタしつつ位相シフト用の調整を行う。このようなモニタ受光素子が、Ｘ偏波用送信器１５６および／またはＹ偏波用送信器１５８内もしくはこれらの後段に配置されている。このように送信器の構成内に配置された各偏波についてのモニタ受光素子を用いて、光強度もモニタしながら可変光位相シフタ２０２を調整して送信側ＰＤＬを補償する。
【００４０】
本実施例の構成では、ａ：ｂを１：１に設計し、Ｘ偏波用送信器１５６とＹ偏波用送信器１５８の送信ＰＤＬを補償するように、可変光位相シフタ２０２の駆動によりａ’：ｂ’を調整することも可能である。但し、可変光位相シフタの駆動量が大きくなるため、消費電力が増大する。偏波多重光送信器の変調器は、構成的に必ず非対称な損失となるため、平均的な送信側ＰＤＬを有する。従って、平均的な送信側ＰＤＬに合わせａ：ｂを調整することで、位相シフタの平均的な駆動量を低減することができ、消費電力の低減に繋がる。
【００４１】
製造バラつきにより送信側ＰＤＬが発生したとしても、可変光位相シフタにて送信側ＰＤＬを補償するようにＸ偏波用送信器１５６とＹ偏波用送信器１５８に入力する光の強度ａ’：ｂ’を調整すれば、過剰損失を増加させることなく各出力偏波のパワーを等しくすることが出来る。仮に、設計通りの製造結果であった場合には、可変光位相シフタ２０２を駆動する必要はない。これまで、製造バラつきにより発生した送信側ＰＤＬの変動について説明したが、製造バラつきだけでなく、送信側回路が持つ損失の波長依存性や温度依存性などにより、送信側ＰＤＬが変化することもある。実際の光送受信器の運用時には、環境温度変化や動作波長変更に伴い、送信側ＰＤＬは大きく変化する。この様な送信側ＰＤＬの変化に対しても、それを補償するように位相シフタを駆動することにより、出力送信光の各偏波のパワーを等しくすることが出来る。
【００４２】
図５に、実際の製造バラつきにより発生する送信側ＰＤＬのバラつきを示す。サンプル毎に、Ｘ偏波側とＹ偏波側の間の送信器製造バラつきや分岐比バラつき、偏波回転器等の製造バラつきにより、送信側ＰＤＬがばらつく。図１のような従来構成の場合、あらかじめ光分岐回路にて送信側ＰＤＬを補償するように設計的にａ：ｂを調整するが、このようなバラつきは個々に補償は不可能である。従って、実際には図５に示すような平均的な送信側ＰＤＬの値に対しそれを補償するようにａ：ｂを設計するが、実際には平均値から１ｄＢ程度補償量はずれる。結果、実際の各偏波毎の光出力パワーは、図６のようにサンプルごとに異なる値となる（バラバラとなる）。送信側ＰＤＬのバラつきに対応し、各偏波の出力光強度がＸ偏波側とＹ偏波側で異なる。個々の送信側ＰＤＬの値に応じ、偏波間のパワー差が生じている。この様な偏波間のパワー差が残留している場合、伝送品質に影響を与えるため、これを解消する必要がある。
【００４３】
図７に、各偏波毎の光出力パワーを等しく調整した場合の合成光出力強度について、従来方法と本実施形態の構成で調整した場合について比較する。図１の従来構成の場合、光減衰器を駆動することで光強度が大きい偏波の光を減衰させる。一方、本実施形態の構成の場合、可変光位相シフタ２０２を駆動して各偏波の出力パワーを調整する。ここで、図２の光減衰器１６０，１６２では光減衰を与えず、常に完全透過状態のままである。本実施形態の場合、光減衰器１６０，１６２は各偏波の出力パワー調整の為には不要であるため、必ずしも必要ない。出力光を完全に消光させる等、シャッターとしての機能が要求される場合に、光減衰器を集積する場合がある。
【００４４】
これらの構成の違いにより、出力光強度（偏波間合成強度）は、図７のように異なる。図７の縦軸は、Ｘ偏波とＹ偏波の出力光強度の和を示している。従来に比べ、明らかに本実施形態の構成では出力光強度が大きい。製造バラつきで送信側ＰＤＬが変化したとしても、光減衰器を用いないため、高い送信光強度を保つことが可能となる。一方、従来の構成では出力光強度の高い偏波側を、低い強度偏波側と一致するように減衰させる。結果的には、出力光強度の総和は、本実施形態に比べると、原理的に小さくなってしまう。
【００４５】
この様に、本実施形態の構成では、送信側ＰＤＬに合わせ、原理的な損失を発生させることなく、Ｘ偏波とＹ偏波の出力光強度を一致させることが出来る。従って、送信側ＰＤＬの製造バラつきや波長依存性、温度依存性が発生したとしても、送信光強度の低下を最小に抑えられる。
【００４６】
[第２の実施形態]
トランシーバの小型化が要求されるなか、送信器および受信器を１チップで実現する研究開発が進んでいる。その具体的な材料として、ＳｉやＩｎＰのような材料を用い、ＣＭＯＳのような集積電子回路の製造プロセスを利用した平面型回路として実現さることが主流となりつつある。このような平面型の回路により実現できる光分岐回路の回路構成としては、複数の分岐回路を多段接続する方法が、最も過剰損失を発生することなく分岐できる。
【００４７】
前述したように、この光分岐回路に要求される分岐比は、要求される送受信器性能やアプリケーション別に様々ではある。本実施例では、送信側と受信側に分岐される総光強度比として７５：２５、且つ、Ｘ偏波用およびＹ偏波用間に平均して発生する３ｄＢの出力側ＰＤＬを補償するような分岐比を実現する光分岐回路、および、送信ＰＤＬを補償可能な構成について具体的な設計方法を説明する。
【００４８】
図８に示すのは、本実施形態の回路構成の例である。光分岐回路１５４は、光源１５２からの光を分岐し、４本の経路に分割する。図８の経路Ｐ６、Ｐ７、Ｐ５、Ｐ３がそれぞれ、Ｘ偏波用受信器１０６、Ｙ偏波用受信器１０８、Ｘ偏波用送信器１５６、Ｙ偏波用送信器１５８へ接続される。光分岐回路１５４としては、様々な構成を採用し得るが、送信側と受信側に７５:２５の非対称に分岐する場合は、このような構成が適している。光分岐回路１５４において、１段目のスプリッタ８０１によって経路Ｐ１から入力された光源１５２からの光が２分岐されて、一方は経路Ｐ３を介して光波合成回路２０６を経由してＹ偏波用送信器１５８に接続され、他方は経路Ｐ２を介して２段目のスプリッタ８０２に接続される。スプリッタ８０２により２分岐された光の一方は経路Ｐ５を介して光波合成回路を経由してＸ偏波用送信器１５６に接続され、他方は経路Ｐ４を介してスプリッタ８０３を経由して受信側（Ｘ偏波用受信器１０６、Ｙ偏波用受信機１０８）へ接続される。一般的には、Ｘ偏波用受信器１０６とＹ偏波用受信器１０８に、等量の光強度を入力するため、スプリッタ８０３は対称分岐回路となる。したがって、スプリッタ８０２からの他方は経路Ｐ４を介して３段目のスプリッタ８０３へ接続される。スプリッタ８０３により２分岐された光の一方は経路Ｐ６を介してＸ偏波用受信器１０６へ接続される。スプリッタ８０３により２分岐された光の他方は経路Ｐ７を介してＹ偏波用受信器１０８へ接続される。
【００４９】
送信側光強度（経路Ｐ５とＰ３の光強度の和）と、受信側光強度（経路Ｐ６とＰ７の光強度の和）を、７５：２５の光強度比にする。加えて、平均的に発生する送信側ＰＤＬが３ｄＢであるとし、経路Ｐ５および経路Ｐ３に出力される光の強度を１：２にする場合、経路Ｐ５、Ｐ３、Ｐ６，Ｐ７に夫々分岐する光強度がＰ５：Ｐ３：Ｐ６：Ｐ７＝２５：５０：１２．５：１２．５となるように、各スプリッタで分岐すればよい。
【００５０】
この様な分岐比を実現する場合、各スプリッタ８０１，８０２，８０３は全て、入力光を１：１に分岐するスプリッタを、図８のような接続方法で、多段化する。
【００５１】
ここでは光分岐回路１５４にて必要な分岐比の一例に対し、具体的なスプリッタ分岐比と接続方法を示したが、その他の分岐比でも同様の回路構成にて実現が出来る。
【００５２】
より一般的には、経路Ｐ５：経路Ｐ３：経路Ｐ６：経路Ｐ７＝ｗ：ｘ：ｙ：ｚ（但し、ｗ＋ｘ＋ｙ＋ｚ＝１）の分岐比を実現する場合、１段目のスプリッタ８０１は分岐比ｘ: ｗ＋ｙ＋ｚとなるように、２段目のスプリッタ８０２は分岐比ｗ：ｙ＋ｚとなるように,３段目のスプリッタ８０３はｙ：ｚとなるように、それぞれ設計する。平均的に補償する送信側ＰＤＬは、１０×ｌｏｇ10（（ｗ＋ｙ＋ｚ）×ｗ／（ｙ＋ｚ）／ｘ)となり、送信側と受信側への総光分岐比は、（ｗ＋ｘ）：（ｙ＋ｚ）となる。これらの関係より、Ｘ偏波用受信器１０６とＹ偏波用受信器１０８への分岐比と、補償する送信ＰＤＬと、送信側と受信側への総光分岐比の３つの必要特性が決まると、一意にｗ、ｘ、ｙ、ｚの変数が決定され、３つのスプリッタ分岐比は決定される。
【００５３】
本実施形態の光分岐回路は原理的にはどの様な分岐比でも実現可能であるが、送信側の光強度と受信側の光強度との分岐比を７５：２５とし、送信側ＰＤＬを数ｄＢ補償する際に、適した回路である。なぜなら、各段スプリッタに要求される分岐比が、全て１：１に近い分岐比となるためである。平面回路で実現できるスプリッタの分岐比は、１：１に近い対称分岐は簡便に実現できるが、非対称性が大きな分岐比を持つスプリッタは実現が難しい。一般的に、スプリッタに要求される非対称性が大きくなればなるほど、損失増加等が発生するためである。
【００５４】
このような光分岐回路１５４の経路Ｐ５、Ｐ３を光波合成回路２０６に接続する。光波合成回路２０６は、方向性結合器や多モード干渉計で実現できる。上述したように、光波合成回路２０６の２つの入力の経路（スプリッタ８０２を経由する経路と経由しない経路）は、光源１５２から光波合成回路１５４まで、互いに等しい光路長となることが望ましい。この場合、固定位相シフタ２０４に関しては、一定の位相差を与える必要がある。
【００５５】
経路Ｐ３には、式（１）で決定されるシフト位相量が重畳できる固定位相シフタ２０４が配置されており、経路Ｐ５には可変光位相シフタ２０２が配置されている。
【００５６】
送信側ＰＤＬを調整する場合、この可変光位相シフタ２０２をわずかに駆動すると、Ｘ偏波用送信器１５６、Ｙ偏波用送信器１５８へ分岐する光の強度を変更することができる。これにより、送信側ＰＤＬの個体バラつきや動作波長依存性、温度依存性など、送信側ＰＤＬが変動した場合にも、変動値を補償するように位相シフタ（可変光位相シフタ２０２、固定光位相シフタ２０４）を駆動することができる。結果、常にＸ偏波とＹ偏波の出力光強度を一致させることが出来る。
【００５７】
[第３の実施形態]
他の実施形態として、図９に具体的なスプリッタの接続方法等を示す。本実施形態の構成においても、光源１５２を光分岐回路１５４により分岐し、４本の経路に分割する。図９の経路Ｐ６、Ｐ７、Ｐ４、Ｐ５がそれぞれ、Ｘ偏波用受信器１０６、Ｙ偏波用受信器１０８、Ｘ偏波用送信器１５６、Ｙ偏波用送信器１５８へ接続される。経路Ｐ１から入力された光源１５２からの光は、１段目のスプリッタ９０１にて２分岐された光の一方は経路Ｐ３を介して２段目のスプリッタ９０２に接続され、他方は経路Ｐ２を介して２段目のスプリッタ９０３に接続される。スプリッタ９０２により２分岐された光の一方は経路Ｐ４を介して光波合成回路を経由してＸ偏波用送信器１５６に接続され、他方は経路Ｐ５を介して光波合成回路を経由してＹ偏波用送信器１５８に接続される。スプリッタ９０３により２分岐された光の一方は経路Ｐ６を介してＸ偏波用受信器１０６へ接続され、他方は経路Ｐ７を介してＹ偏波用受信器１０８へ接続される。
【００５８】
上述したように、光波合成回路２０６の２つの入力の経路は、光源１５２から光波合成回路１５４まで、互いに等しい光路長となることが望ましい。この場合、固定位相シフタ２０４に関しては、一定の位相差を与える必要がある。経路Ｐ５には、式（１）で決定されるシフト位相量が重畳できる固定位相シフタ２０４が配置されており、経路Ｐ４には可変光位相シフタ２０２が配置されている。
【００５９】
図９に示す様な光分岐回路１５４の構成においても、経路Ｐ４、Ｐ５の出力経路を光波合成回路２０６に接続し、位相シフタ（可変光位相シフタ２０２、固定光位相シフタ２０４）を搭載することで、送信側ＰＤＬを補償することが可能である。
【００６０】
本実施形態の光分岐回路１５４は原理的にはどの様な分岐比でも実現可能であるが、送信側光強度と受信側光強度の分岐比を５０：５０とし、送信側ＰＤＬを数ｄＢ補償する際に、適した回路である。なぜなら、各段スプリッタに要求される分岐比を、全て１：１に近い分岐比となるためである。前述したが、平面回路で実現できるスプリッタの分岐比は、１：１に近いスプリッタは低損失で且つ、簡便に実現できるためである。
【符号の説明】
【００６１】
１０２  偏波分離器
１０４  偏波回転器
１０６  Ｘ偏波用受信器
１０８  Ｙ偏波用受信器
１５２  光源
１５４  光分岐回路
１５６  Ｘ偏波用送信器
１５８  Ｙ偏波用送信器
１６０，１６２  光減衰器
１６４  偏波回転器
１６６  偏波合波器
２０２  可変光位相シフタ
２０４  固定光位相シフタ
２０６  光合成回路
８０１，８０２，８０３，９０１，９０２，９０３  スプリッタ
【図１】
2020108062.tif 000005
【図２】
2020108062.tif 000006
【図３】
2020108062.tif 000007
【図４】
2020108062.tif 000008
【図５】
2020108062.tif 000009
【図６】
2020108062.tif 000010
【図７】
2020108062.tif 000011
【図８】
2020108062.tif 000012
【図９】
2020108062.tif 000013